(57)【要約】【課題】装置操作部に表示されている情報が、複数の分析ユニットのうちのどの分析ユニットの情報であるのか、一見しただけでは分かりにくい。【解決手段】本発明に係る分析装置は、臨床検体を測定するための第１測定ユニット、臨床検体を測定するための第２測定ユニット、および第１および第２測定ユニットと情報通信可能に接続された情報処理ユニットを備えた分析装置であって、複数の測定ユニットが各測定ユニットを視覚的に認識可能な標識を備え、情報処理ユニットの表示部には、それぞれの測定ユニットに対応する標識が、各測定ユニットに関する情報を表示する表示画面に表示される。【選択図】図１２
2011075378.tif 000002
【特許請求の範囲】
【請求項１】
臨床検体を測定するための第１測定ユニット、臨床検体を測定するための第２測定ユニット、および第１および第２測定ユニットと情報通信可能に接続された情報処理ユニットを備えた分析装置であって、
第１測定ユニットが、第１測定ユニットを視覚的に認識可能な第１標識を備え、
第２測定ユニットが、第２測定ユニットを視覚的に認識可能であり第１標識とは異なる第２標識を備え、
情報処理ユニットは、
第１測定ユニットに関する情報を表示する第１表示画面および第２測定ユニットに関する情報を表示する第２表示画面を表示するための情報表示部と、
情報表示部に第１表示画面を表示する場合には、第１標識を第１表示画面とともに情報表示部に表示し、情報表示部に第２表示画面を表示する場合には、第２標識を第２表示画面とともに情報表示部に表示する表示制御部と、を備える分析装置。
【請求項２】
情報処理ユニットは、第１および第２標識を設定するための設定手段を備え、
第１測定ユニットは、設定手段により設定された第１標識を表示し、
第２測定ユニットは、設定手段により設定された第２標識を表示する請求項１記載の分析装置。
【請求項３】
情報処理ユニットは、第１および第２標識を設定するための設定手段を備え、
表示制御部は、設定手段により設定された第１標識を第１表示画面とともに情報表示部に表示し、設定手段により設定された第２標識を第２表示画面とともに情報表示部に表示する請求項１又は２記載の分析装置。
【請求項４】
第１標識は第１色で表される標識であり、
第２標識は第１色とは異なる第２色で表される標識である請求項１乃至３のいずれかに記載の分析装置。
【請求項５】
表示制御部は、第１表示画面を表示する場合には第１表示画面の一部を第１色で表示し、第２表示画面を表示する場合には第２表示画面の一部を第２色で表示する請求項４に記載の分析装置。
【請求項６】
臨床検体を測定するための第３測定ユニットを備え、第３測定ユニットは、第３測定ユニットを視覚的に認識可能であり第１および第２標識とは異なる第３標識を備え、
表示制御部は、情報表示部に、第３測定ユニットに関する情報を表示する第３表示画面を表示する場合には、第３標識を第３表示画面とともに情報表示部に表示する請求項１記載の分析装置。
【請求項７】
臨床検体を測定するための第１測定ユニット、臨床検体を測定するための第２測定ユニット、および第１および第２測定ユニットと情報通信可能に接続された情報処理ユニットを備えた分析装置であって、
第１測定ユニットが、第１測定ユニットを視覚的に認識可能な第１標識を備え、
第２測定ユニットが、第２測定ユニットを視覚的に認識可能であり第１標識とは異なる第２標識を備え、
情報処理ユニットは、
第１測定ユニットの情報を表示する第１表示領域と、第２測定ユニットの情報を表示する第２表示領域と、を備える表示画面を表示する情報表示部と、
情報表示部に表示画面を表示する場合には、第１標識を第１表示領域に表示し、第２標識を第２表示領域に表示する表示制御部と、を備える分析装置。
【請求項８】
情報処理ユニットは、第１および第２標識を設定するための設定手段を備え、
第１測定ユニットは、設定手段により設定された第１標識を表示し、
第２測定ユニットは、設定手段により設定された第２標識を表示する請求項７記載の分析装置。
【請求項９】
第１標識は第１色で表される標識であり、
第２標識は第１色とは異なる第２色で表される標識である請求項７又は８記載の分析装置。
【請求項１０】
臨床検体を測定するための第３測定ユニットを備え、第３測定ユニットは、第３測定ユニットを視覚的に認識可能であり第１および第２標識とは異なる第３標識を備え、
表示制御部は、表示画面に、第３測定ユニットの情報を表示する第３表示領域を表示し、第３表示領域に第３標識を表示する請求項７記載の分析装置。
【発明の詳細な説明】
【技術分野】
【０００１】
本発明は、血液、尿等の臨床検体を分析する分析装置に関する。
【背景技術】
【０００２】
特許文献１には、血液や尿などを分析するための自動分析装置として、複数の分析ユニットを１つの装置操作部によって操作する自動分析装置が記載されている。この自動分析装置は、各分析ユニットに対する分析依頼を装置操作部から行うように構成されている。
【先行技術文献】
【特許文献】
【０００３】
【特許文献１】特開２００９−５８５３２
【発明の概要】
【発明が解決しようとする課題】
【０００４】
特許文献１記載の自動分析装置においては、装置操作部に表示されている情報が、複数の分析ユニットのうちのどの分析ユニットの情報であるのか、一見しただけでは分かりにくい、という問題がある。
【課題を解決するための手段】
【０００５】
本発明に係る第１の分析装置は、臨床検体を測定するための第１測定ユニット、臨床検体を測定するための第２測定ユニット、および第１および第２測定ユニットと情報通信可能に接続された情報処理ユニットを備えた分析装置であって、第１測定ユニットが、第１測定ユニットを視覚的に認識可能な第１標識を備え、第２測定ユニットが、第２測定ユニットを視覚的に認識可能であり第１標識とは異なる第２標識を備え、情報処理ユニットは、第１測定ユニットに関する情報を表示する第１表示画面および第２測定ユニットに関する情報を表示する第２表示画面を表示するための情報表示部と、情報表示部に第１表示画面を表示する場合には、第１標識を第１表示画面とともに情報表示部に表示し、情報表示部に第２表示画面を表示する場合には、第２標識を第２表示画面とともに情報表示部に表示する表示制御部と、を備える。
【０００６】
上記分析装置によれば、複数の測定ユニットが各測定ユニットを視覚的に認識可能な標識を備え、情報処理ユニットの表示部には、それぞれの測定ユニットに対応する標識が、各測定ユニットに関する情報を表示する表示画面に表示される。これにより、情報処理ユニットに表示されている情報がどの測定ユニットに関する情報であるのかを一見して容易に認識できる。
【０００７】
上記情報処理ユニットは、第１および第２標識を設定するための設定手段を備え、第１測定ユニットは、設定手段により設定された第１標識を表示し、第２測定ユニットは、設定手段により設定された第２標識を表示するように構成されてもよい。
【０００８】
また、上記情報処理ユニットは、第１および第２標識を設定するための設定手段を備え、表示制御部は、設定手段により設定された第１標識を第１表示画面とともに情報表示部に表示し、設定手段により設定された第２標識を第２表示画面とともに情報表示部に表示するように構成されてもよい。
【０００９】
また、上記第１標識は第１色で表される標識であり、第２標識は第１色とは異なる第２色で表される標識であるように構成されてもよい。
【００１０】
また、上記表示制御部は、第１表示画面を表示する場合には第１表示画面の一部を第１色で表示し、第２表示画面を表示する場合には第２表示画面の一部を第２色で表示するように構成されてもよい。
【００１１】
また、上記分析装置において、臨床検体を測定するための第３測定ユニットを備え、第３測定ユニットは、第３測定ユニットを視覚的に認識可能であり第１および第２標識とは異なる第３標識を備え、表示制御部は、情報表示部に、第３測定ユニットに関する情報を表示する第３表示画面を表示する場合には、第３標識を第３表示画面とともに情報表示部に表示するように構成されてもよい。
【００１２】
本発明に係る第２の分析装置は、臨床検体を測定するための第１測定ユニット、臨床検体を測定するための第２測定ユニット、および第１および第２測定ユニットと情報通信可能に接続された情報処理ユニットを備えた臨床検体分析装置であって、第１測定ユニットが、第１測定ユニットを視覚的に認識可能な第１標識を備え、第２測定ユニットが、第２測定ユニットを視覚的に認識可能であり第１標識とは異なる第２標識を備え、情報処理ユニットは、第１測定ユニットの情報を表示する第１表示領域と、第２測定ユニットの情報を表示する第２表示領域と、を備える表示画面を表示する情報表示部と、情報表示部に表示画面を表示する場合には、第１標識を第１表示領域に表示し、第２標識を第２表示領域に表示する表示制御部と、を備える。
【００１３】
また、上記情報処理ユニットは、第１および第２標識を設定するための設定手段を備え、第１測定ユニットは、設定手段により設定された第１標識を表示し、第２測定ユニットは、設定手段により設定された第２標識を表示するように構成されてもよい。
【００１４】
また、上記第１標識は第１色で表される標識であり、第２標識は第１色とは異なる第２色で表される標識であるよう構成され得る。
【００１５】
また、上記分析装置において、臨床検体を測定するための第３測定ユニットを備え、第３測定ユニットは、第３測定ユニットを視覚的に認識可能であり第１および第２標識とは異なる第３標識を備え、表示制御部は、表示画面に、第３測定ユニットの情報を表示する第３表示領域を表示し、第３表示領域に第３標識を表示するよう構成され得る。
【発明の効果】
【００１６】
以上のとおり、本発明に係る分析装置によれば、臨床検体を測定するための複数の測定ユニットが、共通の情報処理ユニットに接続されている分析装置であっても、情報処理ユニットに表示されている情報と測定ユニットとが、視覚的に認識可能な標識により対応しているので、情報処理ユニットに表示されている情報がどの測定ユニットの情報であるのかを一見して容易に認識できる。
【図面の簡単な説明】
【００１７】
【図１】実施形態に係る臨床検体分析装置の概略構成を示す正面図である。
【図２】実施形態に係る臨床検体分析装置が備える測定ユニットの構成を示すブロック図である。
【図３】実施形態に係るＷＢＣ検出部の概略構成図である。
【図４】実施形態に係る臨床検体分析装置が備える情報処理ユニットの構成を示すブロック図である。
【図５】実施形態に係る装置情報記憶部のデータ構成の一例を示す図である。
【図６】実施形態に係る測定ユニットおよび情報処理ユニットの処理手順を示すフローチャートである。
【図７】実施形態に係る測定ユニットおよび情報処理ユニットの処理手順を示すフローチャートである。
【図８】実施形態に係る測定ユニットおよび情報処理ユニットの処理手順を示すフローチャートである。
【図９】実施形態に係る測定ユニットおよび情報処理ユニットの処理手順を示すフローチャートである。
【図１０】実施形態に係る情報処理ユニットの色変更処理手順を示すフローチャートである。
【図１１】実施形態に係る情報処理ユニットの表示部に表示される初期画面を示す図である。
【図１２】実施形態に係る情報処理ユニットの表示部に表示されるメニュー画面を示す図である。
【図１３】実施形態に係る情報処理ユニットの表示部に表示される測定部設定画面を示す図である。
【図１４】実施形態に係る情報処理ユニットの表示部に表示される測定部ヘルプウィンドウを示す図である。
【図１５】実施形態に係る情報処理ユニットの表示部に表示される測定項目登録画面を示す図である。
【図１６】実施形態に係る情報処理ユニットの表示部に表示される分析結果画面を示す図である。
【図１７】実施形態に係る情報処理ユニットの表示部に表示される状態画面を示す図である。
【図１８】実施形態に係る情報処理ユニットの表示部に表示される画面構成の一例を示す図である。
【図１９】実施形態に係る情報処理ユニットの表示部に表示される画面構成の一例を示す図である。
【図２０】実施形態に係る情報処理ユニットの表示部に表示される画面構成の一例を示す図である。
【発明を実施するための形態】
【００１８】
以下、本発明の好ましい実施の形態を、図面を参照しながら説明する。
【００１９】
図１は、本発明の実施の形態に係る臨床検体分析装置１の概略構成を示す正面図である。
【００２０】
図１に示すように、本実施の形態の臨床検体分析装置１は、血球計数装置である測定ユニット２１、２２および２３と、情報処理ユニット３と、検体搬送装置５０とを備えている。例えば測定ユニット２１は、血液を分析して白血球（ＷＢＣ）、赤血球（ＲＢＣ）および血小板（ＰＬＴ）などの数を算出する。情報処理ユニット３は、測定ユニット２１、２２および２３から出力された測定結果を処理して分析結果を得る機能を有する。検体搬送装置５０は、情報処理ユニット３からの指示により、測定ユニット２１、２２および２３に検体を自動供給する装置である。情報処理ユニット３は、パーソナルコンピュータからなり、測定ユニット２１、２２および２３に通信ケーブル３ａを介して通信可能に接続されている。検体搬送装置５０は、未測定のサンプルラックを収納する検体投入ユニット５１、検体を収納したサンプルラックを測定ユニット２１、２２および２３へ搬送する搬送ユニット５２ａ、５２ｂ、５２ｃ、および測定済のサンプルラックを収納する検体収容ユニット５３を備えている。搬送ユニット５２ａには、測定ユニット２１に測定させる検体を搬送するための搬送経路５２１ａと測定ユニット２１で測定を行わない検体を搬送ユニット５２ｂ、５２ｃ又は検体収容ユニット５３に搬送するための搬送経路５２２ａを備えている。搬送ユニット５２ｂおよび５２ｃは、搬送ユニット５２ａと同様の構成を備えている。
【００２１】
測定ユニット２１、２２および２３の正面の右上部分には、それぞれの測定ユニットを色で識別するための発光部２１ａ、２２ａおよび２３ａが設けられている。発光部２１ａ、２２ａおよび２３ａは、それぞれ３色ＬＥＤを備えている。３色ＬＥＤは、ひとつのパッケージに赤色ＬＥＤチップ（Ｒ）、緑色ＬＥＤチップ（Ｇ）、および青色ＬＥＤチップ（Ｂ）を内蔵している。３色ＬＥＤとしては、例えば、日亜化学工業株式会社製の商品名「フルカラーＬＥＤ（型名：ＮＳＴＭ５１５）」を用いることが出来る。
【００２２】
図２は、測定ユニット２１の構成を示すブロック図である。測定ユニット２１は、試料供給部４と、ＷＢＣ検出部５と、ＲＢＣ検出部６と、ＨＧＢ検出部７と、制御部８と、通信部９と、ＬＥＤ駆動回路１０と、発光部２１ａと、センサ１１を備えている。本実施の形態では、測定ユニット２２および２３は、発光部２２ａおよび２３ａがそれぞれ発光部２１ａとは異なる色で発光する以外は測定ユニット２１と同様の構成を備えている。このため、以下で測定ユニット２２および２３の説明を行う場合、測定ユニット２１と同じ構成については測定ユニット２１と同じ図番を用いて説明する。
制御部８は、ＣＰＵ８２とＲＯＭ及びＲＡＭからなるメモリ８３とを備え、測定ユニット２１の各種構成要素の動作制御を行うようになっている。また、測定ユニット２１のメモリ８３は、測定ユニット２１の装置ＩＤ１１００１を含む装置情報を記憶している。なお、測定ユニット２２のメモリ８３は装置ＩＤ１１００２を含む測定ユニット２２の装置情報を記憶しており、測定ユニット２３のメモリ８３は装置ＩＤ１１００３を含む測定ユニット２２の装置情報を記憶している。さらにメモリ８３は、エラーを特定する情報であるエラーＩＤを記憶している。
ＬＥＤ駆動回路１０は、発光部２１ａに備えられている３色のＬＥＤチップの各々に供給する電圧を制御することで、発光部２１ａを所定の色で発光させるための回路である。発光部２１ａは、ＬＥＤ駆動回路１０によってメモリ８３に記憶されている色情報で示される色を表示することができる。
通信部９は、例えばＲＳ−２３２Ｃインタフェース、ＵＳＢインタフェース、又はＥｔｈｅｒｎｅｔ（登録商標）インタフェースであり、情報処理ユニット３との間でデータの送受信を行うことが可能である。
また、センサ１１は、測定ユニット２１の動作状況を監視するために測定ユニット２１の各種構成要素に設けられた複数のセンサである。例えば、試料供給部４には、ピペットが初期位置にあるか否かを検出するセンサおよびピペットが測定試料吸引位置にあるか否かを検出するセンサが設けられている。ＣＰＵ８２は、これらのセンサの出力に基づいてピッペトが初期位置から測定試料吸引位置まで所定の時間内に移動したか否かを監視している。
【００２３】
試料供給部４は、検体容器から検体を吸引するピペット、検体と試薬を混合する混合容器、および検体および試薬を混合容器に供給するためのポンプなどを備える。試料供給部４は、血液を吸引し、吸引した血液から赤血球、血小板の測定、及びヘモグロビンの測定に供される試料の調製を行い、調整した試料をＲＢＣ検出部６及びＨＧＢ検出部７に供給している。また、試料供給部４は、吸引した血液と試薬（溶血剤、染色液）を混合し、白血球の測定に供される試料の調製を行い、調整した試料をＷＢＣ検出部５に供給している。
【００２４】
ＷＢＣ検出部５は、ＷＢＣ測定（白血球数の測定）及びＤＩＦＦ測定（白血球分類）を行うことができる光学検出部である。このＷＢＣ検出部５は、半導体レーザを使用したフローサイトメトリー法により、ＷＢＣ測定及びＤＩＦＦ測定を行うことができる。ＷＢＣ検出部５の構成については、後に詳しく説明する。なお、ＷＢＣ測定とは、白血球を計数し、試料中の白血球の濃度を算出する測定であり、ＤＩＦＦ測定とは、白血球を、リンパ球、好塩基球、好酸球、好中球、および単球、などに分類し、それぞれの試料中の濃度を算出する測定である。
【００２５】
ＲＢＣ検出部６は、ＲＢＣ測定（赤血球数の測定）及びＰＬＴ測定（血小板数の測定）を行うＲＢＣ／ＰＬＴ検出部である。このＲＢＣ検出部６はシースフローＤＣ検出法によりＲＢＣ及びＰＬＴの測定を行うことができる。
【００２６】
ＨＧＢ検出部７は、ＨＧＢ測定（血液中の血色素量の測定）を行うＨＧＢ検出部である。このＨＧＢ検出部７は、ＳＬＳ−ヘモグロビン法によりＨＧＢ測定を行うことができる。
【００２７】
図３は、ＷＢＣ検出部５の構成を示した斜視図である。図３に示すように、ＷＢＣ検出部５は、レーザダイオード５０１、コリメータレンズ５０２、シースフローセル５０３、集光レンズ５０４、ピンホール板５０５、フォトダイオード５０６、集光レンズ５０７、ダイクロイックミラー５０８、フォトマルチプライヤチューブ（以下、フォトマルとよぶ）５１２、フィルタ５０９、ピンホール板５１０、フォトマルチプライヤチューブ（以下、フォトマルとよぶ）５１１、および、アンプ６１〜６３を含む。
【００２８】
試料供給部４（図２参照）から供給された測定用試料は、シースフローセル５０３を流れる。レーザダイオード５０１から発せられた光は、シースフローセル５０３を流れる測定用試料をコリメータレンズ５０２を介して照射する。シースフローセル５０３を流れる測定用試料によって前方に散乱した光（前方散乱光）は、集光レンズ５０４とピンホール板５０５とを介してフォトダイオード５０６に入射する。シースフローセル５０３を流れる測定用試料によって側方に散乱した光（側方散乱光）は、集光レンズ５０７とダイクロイックミラー５０８とを介してフォトマル５１２に入射する。
【００２９】
光が照射されることによって、シースフローセル５０３を流れる測定用試料から発せられた蛍光は、集光レンズ５０７とダイクロイックミラー５０８とフィルタ５０９とピンホール板５１０とを介してフォトマル５１１に入射する。フォトダイオード５０６は、入射された前方散乱光をその強度に応じた電気的な情報に変換して前方散乱光強度として出力する。フォトマル５１２は、入射された側方散乱光をその強度に応じた電気的な情報に変換して側方散乱光強度として出力する。フォトマル５１１は、入射された蛍光をその強度に応じた電気的な情報に変換して蛍光強度として出力する。フォトダイオード５０６から出力される前方散乱光強度と、フォトマル５１１から出力される蛍光強度と、フォトマル５１２から出力される側方散乱光強度とは、それぞれアンプ６１、６２、６３によって増幅され、制御部８に入力される。
【００３０】
なお、測定ユニット２２および２３は測定ユニット２１と基本的に構成が同じであるため、測定ユニット２１の構成と同様である測定ユニット２２および２３の構成についての説明は省略する。
【００３１】
図４は、本発明の実施の形態に係る臨床検体分析装置１の情報処理ユニット３の構成を示すブロック図である。図４に示すように、情報処理ユニット３は、ＣＰＵ（中央演算装置）３１、ＲＡＭ３２、記憶装置３３、入力装置３４、表示装置３５、出力装置３６、通信インタフェース３７および上述したハードウェアを接続する内部バス３８で構成されている。ＣＰＵ３１は、内部バス３８を介して情報処理ユニット３の上述したようなハードウェア各部と接続されており、上述したハードウェア各部の動作を制御する。また、ＣＰＵ３１は、記憶装置３３のプログラム記憶部３３１に記憶されているコンピュータプログラムに従って、種々のソフトウェア的機能を実行する。ＲＡＭ３２は、ＳＲＡＭ、ＳＤＲＡＭ等の揮発性メモリで構成される。コンピュータプログラムの実行時にロードモジュールが展開され、コンピュータプログラムの実行時に発生する一時的なデータ等がＲＡＭ３２に記憶される。
【００３２】
記憶装置３３は、内蔵される固定型記憶装置（ハードディスク）で構成されている。記憶装置３３はプログラム記憶部３３１と装置情報記憶部３３２とを備えている。コンピュータプログラム記憶部３３１には、オペレーティングシステムおよびアプリケーションプログラム等のＣＰＵ３１に実行させるための種々のコンピュータプログラム及びそのコンピュータプログラムの実行に用いるデータがインストールされている。例えば、測定項目を登録するためのアプリケーションプログラムと、測定ユニット２１、２２、および２３のエラーに関する情報を取得したり、表示したりするためのアプリケーションプログラムとがこのプログラム記憶部３３１にインストールされている。また、装置情報記憶部３３２には、測定ユニット２１、２２および２３の装置情報が記憶されている。図５は、装置情報記憶部３３２のデータ構成の例示図である。図５に示すように、測定ユニット２１に対応する装置情報として、装置ＩＤ：１１００１、製品コード：ＡＡ０００００１、装置名：ＸＥ−１および色情報：青が記憶されている。また、測定ユニット２２に対応する装置情報として、装置ＩＤ：１１００２、製品コード：ＡＡ０００００１、装置名：ＸＥ−２および色情報：緑が記憶されている。さらに、測定ユニット２３に対応する装置情報として、装置ＩＤ：１１００３、製品コード：ＡＡ０００００１、装置名：ＸＥ−３および色情報：橙が記憶されている。
また、記憶装置３３には、装置で起こり得る様々なエラーの態様（エラー名称、エラー発生箇所、エラーの復旧方法等）についての情報が予め記憶されている。
【００３３】
通信インタフェース３７は内部バス３８に接続されており、測定ユニット２１、２２、および２３と接続線３ａを介して接続されることにより、データの送受信を行う。すなわち、通信インタフェース３７は、測定の開始を示す指示情報等を測定ユニット２１、２２、および２３へ送信し、測定データ等を受信する。
【００３４】
入力装置３４は、キーボード及びマウス等のデータ入力媒体である。表示装置３５は、ＣＲＴモニタ、ＬＣＤ等の表示装置であり、分析結果をスクリーンに表示する。出力装置３６は、レーザプリンタ、インクジェットプリンタ等の印刷装置である。
【００３５】
情報処理ユニット３は、プログラム記憶部３３１のコンピュータプログラムをＣＰＵ３１で実行することにより、測定ユニット２１、２２、および２３から受信した測定データを処理し、白血球数（ＷＢＣ）、赤血球数（ＲＢＣ）、血色素量（ＨＧＢ）、ヘマトクリット値（ＨＣＴ）、平均赤血球容積（ＭＣＶ）、平均赤血球血色素量（ＭＣＨ）、平均赤血球血色素濃度（ＭＣＨＣ）、および血小板数（ＰＬＴ）等を算出する。
【００３６】
以下、本実施の形態に係る臨床検体分析装置１の動作について説明する。
【００３７】
図６、図７、図８および図９は、本実施の形態に係る測定ユニット２１のＣＰＵ８２、測定ユニット２２のＣＰＵ８２及び情報処理ユニット３のＣＰＵ３１の処理手順を示すフローチャートである。以下、測定ユニット２１のＣＰＵ８２および情報処理ユニット３のＣＰＵ３１の処理について説明する。
【００３８】
まず、ユーザの操作により、情報処理ユニット３の電源が入れられると、ＣＰＵ３１は、図１１に示す初期画面３５ａを情報処理ユニット３の表示装置３５に表示する（Ｓ２−１）。図１１に示すように、初期画面３５ａには、測定ユニット２１のメニュー画面２１１ａを表示させるアイコン８２１、測定ユニット２２のメニュー画面２１１ｂを表示させるアイコン８２２、及び測定ユニット２３のメニュー画面２１１ｃを表示させるアイコン８２３が設けられている。
【００３９】
次に、ユーザの操作により、アイコン８２１、アイコン８２２又はアイコン８２３がクリックされると、ＣＰＵ３１は、クリックされたアイコンに対応するメニュー画面の表示指示を受け付ける（Ｓ２−２）。そして、ＣＰＵ３１は、クリックされたアイコンに対応する測定ユニットの装置情報を装置情報記憶部３３２から検索し、対応する装置情報に含まれる色情報に対応する色が付されたメニュー画面２１１ａ、２１１ｂ又は２１１ｃを表示する（Ｓ２−３）。
【００４０】
図１２（ａ）は測定ユニット２１のメニュー画面２１１ａの一例を示す図である。図１２（ａ）に示すように、メニュー画面２１１ａには、タイトルバー９１ａと、ツールバー９２ａと、機能画面領域９３ａ等と、が設けられている。タイトルバー９１ａは、装置情報記憶部３３２から取得した色情報に対応する色で表示されるとともに、タイトルバー９１ａの左端には、装置名が表示される。具体的には、タイトルバー９１ａは、青色で表示されるとともに、タイトルバー９１ａの左端には、装置名であるＸＥ−１が表示される。また、ツールバー９２ａには、登録ボタン９２１、測定開始ボタン９２２、分析結果ボタン９２３、メニューボタン９２４および状態画面ボタン９２５等が設けられている。機能表示領域９３ａには、図１５（ａ）に示す測定項目登録画面２１２ａを表示させるための測定登録アイコン９３１、シャットダウンアイコン９３２および図１３に示す測定部設定画面６１ａを表示させるための設定アイコン９３３等が設けられている。
図１２（ｂ）は、測定ユニット２２のメニュー画面２１１ｂの一例を示す図であり、図１２（ｃ）は、測定ユニット２３のメニュー画面２１１ｃの一例を示す図である。メニュー画面２１１ｂおよび２１１ｃはメニュー画面２１１ａと基本的な構成は同じであるので説明を省略する。ただし、メニュー画面２１１ａと違って、メニュー画面２１１ｂのタイトルバー９１ｂは、緑色で表示され、タイトルバー９１ｂの左端には、装置名であるＸＥ−２が表示される。また、メニュー画面２１１ｃのタイトルバー９１ｃは、橙色で表示され、タイトルバー９１ｃの左端には、装置名であるＸＥ−３が表示される。
【００４１】
ユーザの操作により、測定ユニット２１の電源が入れられると、測定ユニット２１のＣＰＵ８２は、測定ユニット２１のメモリ８３に記憶されている装置ＩＤ：１１００１、測定ユニット２１に設置されている試薬情報等を、装置情報として、通信部９を介して情報処理ユニット３に送信する（Ｓ１−１）。
なお、メモリ８３が発光部２１ａを何色で点灯させるかを示す色情報を記憶している場合には、ＣＰＵ８２は装置情報として色情報も情報処理ユニット３に送信する。
【００４２】
情報処理ユニット３のＣＰＵ３１は、装置情報を、通信インタフェース３７を介して受信したか否かを判断し（Ｓ２−４）、装置情報を受信した場合には、受信した装置情報に色情報が含まれているか否かを判断する（Ｓ２−５）。
【００４３】
装置情報に色情報が含まれている場合には、ＣＰＵ３１は、装置情報受信完了通知を測定ユニット２１に送信する（Ｓ２−７）。装置情報に色情報が含まれていない場合には、ＣＰＵ３１は受信した装置情報をもとに装置情報記憶部３３２を検索し、測定ユニット２１と対応した青という色情報を取得し（Ｓ２−６）、取得した色情報とともに装置情報受信完了通知を、通信インターフェイス３７を介して測定ユニット２１に送信する（Ｓ２−７）。
【００４４】
測定ユニット２１のＣＰＵ８２は、通信部９を介して装置情報受信完了通知を受信した否かを判断する（Ｓ１−２）。ＣＰＵ８２は、装置情報受信完了通知を受信すると、発光部２１ａを点灯させる（Ｓ１−３）。
なお、ＣＰＵ８２は、ステップ１−２で受信した装置情報受信完了通知に色情報が含まれていない場合、メモリ８３に記憶されている色情報で示される色に発光部２１ａを点灯させる。また、ＣＰＵ８２は、受信した装置情報受信完了通知に青という色情報が含まれている場合、受信した色情報を装置情報としてメモリ８３に記憶させるとともにＬＥＤ駆動回路１０を制御して発光部２１ａを青色に点灯させる。
【００４５】
情報処理ユニット３のＣＰＵ３１は、図１３に示される測定部設定画面６１ａが表示装置３５に表示されているか否かを判断する（Ｓ２−８）。ＣＰＵ３１は、測定部設定画面６１ａが表示されている場合には、処理をステップ２−１１に進め、測定部設定画面６１ａが表示されていない場合には、測定部設定画面６１ａの表示指示を受け付けたか否かを判断する（Ｓ２−９）。ＣＰＵ３１は、測定部設定画面６１ａの表示指示を受け付けていない場合には処理をステップ２−１２に進め、表示指示を受け付けた場合には測定部設定画面６１ａを表示する（Ｓ２−１０）。
なお、測定部設定画面６１ａの表示指示は、図１２のメニュー画面２１１ａにおいて設定アイコン９３３が選択されることによって行われる。メニュー画面２１１ｂとメニュー画面２１１ｃにおいても、メニュー画面２１１ａの場合と同様にして、測定部設定画面６１ａの表示指示は行われる。
【００４６】
図１３に示される測定部設定画面６１ａには、装置識別項目６１１ａを含むメニューツリー表示領域６１１と、色情報切替ボタン６１２ａ、色情報切替ボタン６１２ｂ及び色情報切替ボタン６１２ｃを含む装置識別設定メニュー６１２と、ＯＫボタン６１３とが設けられている。測定部設定画面６１ａにおいて、メニューツリー表示領域６１１の装置識別項目６１１ａが選択されることによって、装置識別設定メニュー６１２が表示される。
【００４７】
ステップＳ２−１１の色変更処理について、図１０を用いて説明する。ＣＰＵ３１は、色情報の設定を受け付けたか否かを判断し（Ｓ４−１）、色情報の設定を受け付けた場合には、装置情報記憶部３３２に記憶されている色情報を更新する（Ｓ４−２）。
色情報の設定は、以下の手順で行われる。まず、色情報切替ボタン６１２ａがクリックされることでプルダウンメニューが表示される。次に、プルダウンメニューに表示された色情報の中から一つの色情報が選択され、ＯＫボタン６１３がクリックされた後、色情報の設定は完了する。なお、色情報切替ボタン６１２ａによって測定ユニット２１の色情報を変更したが、測定ユニット２２の色情報を変更する場合には色情報切替ボタン６１２ｂが、測定ユニット２３の色情報を変更する場合には色情報切替ボタン６１２ｃがそれぞれ使用される。
【００４８】
次に、ＣＰＵ３１は、測定ユニット用画面に表示されている色を変更する（Ｓ４−３）。ここで、測定ユニット用画面とは、測定ユニットごとに表示される画面と図１７に示す状態画面７１ａとの総称である。例えば、測定ユニット２１用に割り当てられた色が変更された場合、図１２に示すメニュー画面２１１ａ、図１５に示す測定項目登録画面２１２ａおよび図１６に示す分析結果画面２１３ａのタイトルバー９１ａと、図１４に示す測定部ヘルプウィンドウ５１０ａのタイトルバー５１１ａと、図１７に示す状態画面７１ａのアイコン７２１と、に表示されていた色が変更される。測定ユニット２２および測定ユニット２３に割り当てられた色が変更された場合も、測定ユニット２１の場合と同様であるので説明を省略する。
【００４９】
次に、ＣＰＵ３１は、変更された色情報を含むＬＥＤ点灯色変更指示を通信インターフェイス３７を介して測定ユニット２１に送信する（Ｓ４−４）。
【００５０】
図７において、ＣＰＵ８２はＬＥＤ点灯色変更指示を受信したか否かを判断し（Ｓ１−４）、受信していない場合には処理をステップ１−６に進め、受信した場合には受信した色情報に基づいてＬＥＤ駆動回路１０を制御して発光部２１ａの発光色を変更すると共にメモリ８３に記憶された装置情報の色情報を更新する（Ｓ１−５）。
【００５１】
ＣＰＵ８２は、センサ１１がエラーを検出したか否かを判断し（Ｓ１−６）エラーを検出していない場合には、処理をステップ１−８に進め、エラーを検出した場合には、メモリ８３から対応するエラーＩＤを読み出して、装置ＩＤとエラーＩＤを含むエラー情報を生成し、エラー情報を、通信部９を介して情報処理ユニット３に送信する（Ｓ１−７）。
【００５２】
情報処理ユニット３のＣＰＵ３１は、エラー情報を受信したか否かを判断し（Ｓ２−１２）、エラー情報を受信していない場合には、処理をステップ２−１４に進め、エラー情報を受信した場合には、図１４に示す測定部ヘルプウィンドウ５１０ａを、表示装置３５に先に表示されている画面上に重ねて表示させる（Ｓ２−１３）。またその際、ＣＰＵ３１はアラーム音を鳴らすように図示しないスピーカーを制御する。
【００５３】
図１４（ａ）は測定ユニット２１の測定部ヘルプウィンドウ５１０ａの一例を示す図である。測定部ヘルプウィンドウ５１０ａには、タイトルバー５１１ａと、エラーリスト（エラー名称表示エリア）５１２ａと、アクション表示エリア（復旧操作表示エリア）５１３ａ等と、が設けられている。タイトルバー５１１ａは、装置情報記憶部３３２から取得した色情報に基いて青色で表示される。また、エラーリスト５１２ａには、検出された１又は複数のエラー名称が表示される。図１４（ａ）では、エラーリスト５１２ａに３個のエラー名称が上下に羅列して表示されている。このエラーリスト５１２ａには優先順位の高い順番でエラー名称が表示される。また、アクション表示エリア５１３ａには、エラーリスト５１２ａで選択されたエラーに対応するアクションメッセージが表示される。ここで、アクションメッセージとは、主としてエラーの復旧方法に関する情報であって、エラーを復旧するための手順を文章（テキスト）で表したものである。
【００５４】
測定部ヘルプウィンドウ５１０ａが立ち上がった直後の初期状態では、エラーリスト５１２ａ内の最上部のエラー名称が選択された状態になっている。選択されたエラー名称に対応したアクションメッセージがアクション表示エリア５１３ａに表示される。ユーザが他のエラー名称を選択すると、そのエラー名称に対応したアクションメッセージがアクション表示エリア５１３ａに表示される。
【００５５】
図１４（ｂ）は、測定ユニット２２の測定部ヘルプウィンドウ５１０ｂを示す図であり、図１４（ｃ）は、測定ユニット２３の測定部ヘルプウィンドウ５１０ｃを示す図である。測定部ヘルプウィンドウ５１０ｂおよび５１０ｃは測定部ヘルプウィンドウ５１０ａと基本的な構成は同じであるので説明を省略する。ただし、測定部ヘルプウィンドウ５１０ａと違って、測定部ヘルプウィンドウ５１０ｂのタイトルバー５１１ｂは、緑色で表示され、測定部ヘルプウィンドウ５１０ｃのタイトルバー５１１ｃは、橙色で表示される。
【００５６】
ＣＰＵ３１は、測定部ヘルプウィンドウ５１０ａのボタン５１４ａが選択されると測定部ヘルプウインドウの表示処理を終了し、処理をステップ２−１４に進め、図１５（ａ）に示す測定項目登録画面２１２ａが表示装置３５に表示されているか否かを判断する（Ｓ２−１４）。
【００５７】
図１５（ａ）は測定ユニット２１の測定項目登録画面２１２ａの一例を示す図である。測定項目登録画面２１２ａには、タイトルバー９１ａと、ツールバー９２ａと、機能画面領域９３ａ等と、が設けられている。タイトルバー９１ａは、装置情報記憶部３３２から取得した色情報に基づいて青色で表示され、タイトルバー９１ａの左側の領域に装置名であるＸＥ−１が表示される。また、ツールバー９２ａには、登録ボタン９２１、測定開始ボタン９２２、分析結果ボタン９２３、メニューボタン９２４および状態画面ボタン９２５等が設けられている。そして、機能表示領域９３ａには、検体番号入力領域１０ａと測定項目選択ボタン１０ｂ等とが設けられている。
【００５８】
図１５（ｂ）は、測定ユニット２２の測定項目登録画面２１２ｂを示す図であり、図１５（ｃ）は、測定ユニット２３の測定項目登録画面２１２ｃを示す図である。測定項目登録画面２１２ｂおよび２１２ｃは測定項目登録画面２１２ａと基本的な構成は同じであるので説明を省略する。ただし、測定項目登録画面２１２ａと違って、測定項目登録画面２１２ｂのタイトルバー９１ｂは、緑色で表示されるとともに装置名であるＸＥ−２が表示され、測定項目登録画面２１２ｃのタイトルバー９１ｃは、橙色で表示されるとともに装置名であるＸＥ−３が表示される。
【００５９】
図８において、測定項目登録画面２１２ａが表示されていない場合、ＣＰＵ３１は、測定項目登録画面表示指示を受け付けたか否かを判断し（Ｓ２−１５）測定項目登録画面表示指示を受け付けていない場合には、処理をステップ２−２０に進め、測定項目登録画面表示指示を受け付けた場合には、図１５（ａ）に示す測定項目登録画面２１２ａを表示する（Ｓ２−１６）。測定項目登録画面２１２ａは、ユーザがマウスを用いて、メニュー画面２１１ａの測定登録アイコン９３１を選択することにより図１２（ａ）の機能表示領域９３ａに表示される。
【００６０】
ＣＰＵ３１は、測定項目登録画面２１２ａにおいて測定項目の入力を受け付けたか否かを判断し（Ｓ２−１７）測定項目の入力を受け付けていない場合には、処理をステップ２−２０に進め、測定項目の入力を受け付けた場合には、測定開始指示を受け付けたか否かを判断する（Ｓ２−１８）。
【００６１】
測定開始指示を受け付けていない場合には、ＣＰＵ３１は処理をステップ２−２０に進め、測定開始指示を受け付けた場合には、ＣＰＵ３１は測定開始指示を測定ユニット２１に送信する（Ｓ２−１９）。なお、測定開始指示は、測定項目登録画面２１２ａのツールバー９２ａに設けられた測定開始ボタン９２２が選択されることにより行われる。
【００６２】
測定ユニット２１のＣＰＵ８２は、測定ユニット２１が測定開始指示を受信したか否かを判断し（Ｓ１−８）、測定開始指示を受信していない場合には、処理をステップ１−１１に進め、測定開始指示を受信した場合には、ＣＰＵ８２は、検体の測定を行うように試料供給部４、ＷＢＣ検出部５、ＲＢＣ検出部６およびＨＧＢ検出部を制御する（Ｓ１−９）。
【００６３】
本実施の形態において、ステップ１−９では以下の処理が行われている。まずＣＰＵ８２は、赤血球および血小板測定用の測定試料（以下、「ＲＢＣ／ＰＬＴ測定試料」とする）、白血球測定用の測定試料（以下、「ＷＢＣ測定試料」とする）およびヘモグロビン測定用の測定試料（以下、「ＨＧＢ測定試料」とする）を試料供給部４に調製させる。続いて、ＣＰＵ８２は、ＲＢＣ／ＰＬＴ測定試料の測定、ＷＢＣ測定試料の測定、およびＨＧＢ測定試料の測定を行うようにＷＢＣ検出部５、ＲＢＣ検出部６およびＨＧＢ検出部をそれぞれ制御する。
【００６４】
次に、ＣＰＵ８２は、測定データを、通信部９を介して情報処理ユニット３に送信する（Ｓ１−１０）。ここで、測定データとは、例えばＷＢＣ測定試料をＷＢＣ検出部５において測定した測定データである。
【００６５】
図８において、情報処理ユニット３のＣＰＵ３１は、測定データを受信したか否かを判断し（Ｓ２−２０）、測定データを受信した場合には、ＣＰＵ３１は、情報処理ユニット３が受信した測定データに基づいて、測定試料に含まれる粒子の分類・計数処理を実行する（Ｓ２−２１）。
【００６６】
図９において、ＣＰＵ３１は、図１６（ａ）に示す分析結果画面２１３ａが表示装置３５に表示されているか否かを判断し（Ｓ２−２２）、分析結果画面２１３ａが表示されていない場合には、分析結果画面の表示指示を受付けたか否かを判断し（Ｓ２−２３）、表示指示を受付けた場合には分析結果画面２１３ａを図１２（ａ）の機能表示領域９３ａに表示する（Ｓ２−２４）。
【００６７】
図１６（ａ）は測定ユニット２１の分析結果画面２１３ａの一例を示す図である。分析結果画面２１３ａには、タイトルバー９１ａと、ツールバー９２ａと、機能画面領域９３ａ等と、が設けられている。タイトルバー９１ａは、装置情報記憶部３３２から取得した色情報に基づいて青色で表示され、その左側の領域に装置名であるＸＥ−１が表示される。また、ツールバー９２ａには、登録ボタン９２１、測定開始ボタン９２２、分析結果ボタン９２３、メニューボタン９２４および状態画面ボタン９２５等が設けられている。そして、機能表示領域９３ａには、検体番号等を表示する検体情報表示領域１１ａと測定結果の数値データを表示する測定結果表示領域１１ｂ等とが設けられている。
【００６８】
図１６（ｂ）は、測定ユニット２２の分析結果画面２１３ｂを示す図であり、図１６（ｃ）は、測定ユニット２３の分析結果画面２１３ｃを示す図である。分析結果画面２１３ｂおよび２１３ｃは分析結果画面２１３ａと基本的な構成は同じであるので説明を省略する。ただし、分析結果画面２１３ａと違って、分析結果画面２１３ｂのタイトルバー９１ｂは、緑色で表示されるとともに装置名であるＸＥ−２が表示され、分析結果画面２１３ｃのタイトルバー９１ｃは、橙色で表示されるとともに装置名であるＸＥ−３が表示される。
【００６９】
分析結果画面表示指示は、ユーザがマウスを用いて、メニュー画面２１１ａ又は測定項目登録画面２１２ａのツールバー９２ａに表示されている分析結果ボタン９２３を選択することにより行われる。そして、分析結果画面２１３ａは図１２（ａ）の機能画面領域９３ａに表示される。
【００７０】
ＣＰＵ３１は、図１７に示す状態画面７１ａが表示装置３５に表示されているか否かを判断し（Ｓ２−２５）、状態画面７１ａが表示されていない場合には、状態画面表示指示を受け付けたか否かを判断し（Ｓ２−２６）、状態画面表示指示を受け付けた場合には状態画面７１ａを表示装置３５に表示する（Ｓ２−２７）。
【００７１】
図１７は状態画面７１ａの一例を示す図である。図１７に示すように、状態画面７１ａには、情報処理ユニット３に接続されている測定ユニット２１を示すアイコン７２１、測定ユニット２２を示すアイコン７２２および測定ユニット２３を示すアイコン７２３と測定ユニット２１の状態を表示する状態表示領域７２１ａ、測定ユニット２２の状態を表示する状態表示領域７２２ａおよび測定ユニット２３の状態を表示する状態表示領域７２３ａとが設けられている。アイコン７２１は、装置情報記憶部３３２から取得した色情報に基づいて青色で表示され、装置名であるＸＥ−１が表示される。同様に、アイコン７２２は、緑色で表示されるとともに装置名であるＸＥ−２が表示され、アイコン７２３は、橙色で表示されるとともに装置名であるＸＥ−３が表示される。
【００７２】
なお、状態画面表示指示は、ユーザがマウスを用いて、メニュー画面２１１ａ、測定項目登録画面２１２ａ又は分析結果画面２１３ａのツールバー９２ａに表示されている状態画面ボタン９２５を選択することにより行われる。
【００７３】
図９において、ＣＰＵ３１は、シャットダウン指示を受け付けたか否かを判断し（Ｓ２−２８）、シャットダウン指示を受け付けていない場合には、処理をステップ２−８に戻し、シャットダウン指示を受け付けた場合には、ＣＰＵ３１は、シャットダウン信号を、通信インターフェイス３７を介して測定ユニット２１に送信する（Ｓ２−２９）。
【００７４】
本実施の形態では、シャットダウン指示は、メニュー画面２１１ａのシャットダウンアイコン９３２が選択されることにより実行される。なお、メニュー画面２１１ａの表示は、測定項目登録画面２１２ａおよび分析結果画面２１３ａに設けられているツールバー９２ａのメニューボタン９２４が選択されることにより実行される。
【００７５】
図９において、測定ユニット２１のＣＰＵ８２は、測定ユニット２１がシャットダウン信号を受信したか否かを判断し（Ｓ１−１１）シャットダウン信号を受信していない場合には、処理をステップ１−４に戻し、シャットダウン信号を受信した場合には、ＣＰＵ８２は、測定ユニット２１のシャットダウン処理を実行する（Ｓ１−１２）。
【００７６】
シャットダウン処理が完了すると、ＣＰＵ８２は情報処理ユニット３にシャットダウン完了通知を、通信部９を介して送信し（Ｓ１−１３）、処理を終了する。
【００７７】
情報処理ユニット３のＣＰＵ３１は、シャットダウン完了通知を受信したか否かを判断し（Ｓ２−３０）、シャットダウン完了通知を受信すると処理を終了する。
【００７８】
以上においては、情報処理ユニット３のＣＰＵ３１および測定ユニット２１のＣＰＵ８２の処理について、図６〜９のフローチャートに基づいて説明したが、測定ユニット２２のＣＰＵ８２の処理（Ｓ３−１〜Ｓ３−１３）は測定ユニット２１のＣＰＵ８２の処理と同様であるので、説明を省略する。また、測定ユニット２３のＣＰＵ８２の処理は、測定ユニット２１のＣＰＵ８２の処理と同様であるので、測定ユニット２３のＣＰＵ８２の処理についてはフローチャートおよび説明を省略する。
【００７９】
以上のように、本実施の形態では、発光部２１ａが青色に発光するとともにタイトルバー９１ａおよびタイトルバー５１１ａが青色で表示され、発光部２２ａが緑色に発光するとともにタイトルバー９１ｂおよびタイトルバー５１１ｂが緑色で表示され、発光部２３ａが橙色に発光するとともにタイトルバー９１ｃおよびタイトルバー５１１ｃが橙色で表示されている。このため、測定ユニットと測定ユニットごとに表示される画面に表示される情報との対応を、ユーザは色によって容易に認識することができる。また、このように、標識を表示する部分を画面の一部とすることで、標識となる情報を測定ユニットに関する情報と同一の画面に表示しても標識となる情報以外の測定ユニットに関する情報を表示する領域を広く保つことができる。
【００８０】
さらに、本実施の形態では、図１７の状態画面７１ａのアイコン７２１が発光部２１ａと同じ青色で表示され、アイコン７２２が発光部２２ａと同じ緑色で表示され、アイコン７２３が発光部２３ａと同じ橙色で表示される。このため、アイコンと測定ユニットとの対応を、ユーザは色によって容易に認識することができる。
【００８１】
また、本実施の形態では、情報処理ユニット３は、測定部設定画面６１ａで測定ユニット２１、２２および２３の発光部２１ａ、２２ａおよび２３ａに表示される色を変更できる構成を備えている。このため、ユーザが測定ユニットごとに一台ずつ表示する色情報を設定する手間を省くことができる。
【００８２】
また、本実施の形態では、情報処理ユニット３が、測定部設定画面６１ａでタイトルバー９１ａ、９１ｂおよび９１ｃと、タイトルバー５１１ａ、５１１ｂおよび５１１ｃと、の色を変更できる構成を備えている。これにより、ユーザは、測定ユニットと測定ユニットごとに表示される画面とで対応している色をユーザ自身で決めることが出来、測定ユニットごとに表示される画面に表示されている情報と測定ユニットとの対応をより容易に認識できる。また、同様に、情報処理ユニット３は、アイコン７２１、７２２および７２３に表示される色を変更できる構成を備えている。これにより、ユーザは、測定ユニットとアイコンとで対応している色をユーザ自身で決めることが出来、アイコンと測定ユニットとの対応をより容易に認識できる。
【００８３】
また、本実施の形態のように、発光部２１ａ、２２ａおよび２３ａに複数の色を表示可能なＬＥＤが用いられた場合、必要なＬＥＤの数は一つでよい。このため、発光部２１ａ、２２ａおよび２３ａに複数の色を表示可能なＬＥＤが用いられた場合、発光部２１ａ、２２ａおよび２３ａに、一色だけ表示可能なＬＥＤが複数用いられた場合あるいはディスプレイが用いられた場合よりも、発光部２１ａ、２２ａおよび２３ａを設けるためのスペースが少なくすることができる。
【００８４】
この他、本発明の実施の形態は、特許請求の範囲に示された技術的思想の範囲内において、適宜、種々の変更が可能である。
【００８５】
上記実施の形態では、測定ユニット２１、２２および２３に血球計数装置を適用した例を示したが、本発明はこれに限らず、尿分析装置、血液凝固測定装置、免疫分析装置、生化学分析装置、遺伝子増幅測定装置等の他の臨床検体分析装置を適用してもよい。
【００８６】
また、上記実施の形態では、各測定ユニットの標識表示部として発光部が用いられているが、本発明はこれに限らず、測定ユニット２１、２２および２３がディスプレイを備え、標識として絵や装置名が用いられる構成としてもよい。測定ユニット２１、２２および２３がディスプレイを備えている場合、色のみあるいは絵のみが標識として用いられるだけでなく、色とテキスト情報あるいは絵とテキスト情報等のいくつかの情報の組み合わせが標識として用いられてもよい。また、各測定ユニットの標識表示部として、各測定ユニットの筺体を、それぞれ異なる色の筺体で構成するようにしてもよく、また、それぞれの筺体に装置名や装置を示す絵を予め表示しておくようにしてもよい。これらの場合には、サービスマンが各装置を設置する際に、情報処理ユニット３の装置情報記憶部３３２に記憶されている装置情報として、各測定ユニットの色、装置名、絵などを登録するようにすればよい。
【００８７】
また、上記実施の形態では、測定ユニットに関する情報を表示する画面としてメニュー画面、測定登録画面、分析結果画面、および測定部ヘルプウィンドウを示したが、本発明はこれに限らず、患者情報を登録する患者登録画面、医師名を登録する医師登録画面、病棟名を登録する病棟登録画面、及び精度管理が正常に行われていることを判断するための情報を表示する精度管理画面等の測定ユニットに関する情報を表示する他の画面であってもよい。
【００８８】
また、上記実施の形態では、測定ユニットごとに表示される画面として、図１２、１４、１５および１６に示す画面を示したが、本発明はこれに限らず、図１８、１９および２０に示したように、一つの画面の中で測定ユニットごとに表示領域が分かれている構成をしている画面でもよい。例えば、図１８に示す画面４１には、測定ユニット２１の標識を表示する標識表示領域４１ａ、測定ユニット２２の標識を表示する標識表示領域４１ｂおよび測定ユニット２３の標識を表示する４１ｃと測定ユニット２１に関する情報を表示する情報表示領域４１１ａ、測定ユニット２２に関する情報を表示する情報表示領域４１１ｂおよび測定ユニット２３に関する情報を表示する情報表示領域４１１ｃが設けられている。標識表示領域４１ａは、装置情報記憶部３３２から取得した色情報に基づいて青色で表示され、その左側の領域に装置名であるＸＥ−１が表示される。情報表示領域４１１ａには、例えば図１２、１５および１６で示した機能表示領域９３ａに表示される情報および図１４で示したエラーリスト５１２ａおよびアクション表示エリア５１３ａに表示される情報等が表示される。また、標識表示領域４１ａと同様に、標識表示領域４１ｂは緑色で表示されるとともに装置名ＸＥ−２が表示され、標識表示領域４１ｃは橙色で表示されるとともに装置名ＸＥ−３が表示される。
なお、図１８、１９および２０は画面構成の一例であり、標識表示領域４１ａに対応しているのが４２ａおよび４３ａであり、情報表示領域４１１ａに対応しているのが４２２ａおよび４３３ａである。同様に４１ｂは４２ｂおよび４３ｂと対応し、４１ｃは４２ｃおよび４３ｃに対応し、４１１ｂは４２２ｂおよび４３３ｂと対応し、４１１ｃは４２２ｃおよび４３３ｃと対応している。
【００８９】
また、上記実施の形態では、情報処理ユニット３が、測定ユニット２１、２２および２３の発光部２１ａ、２２ａおよび２３ａの発光色を変更できる構成を備えている。しかし、本発明はこれに限らず、測定ユニット２１、２２および２３が、発光部２１ａ、２２ａおよび２３ａの発光色を変更できる構成とし、その情報を情報処理ユニット３に送信して、装置情報記憶部３３２に記憶されている装置情報を更新する構成としてもよい。
【００９０】
また、上記実施の形態では、タイトルバー９１ａ、９１ｂおよび９１ｃと、タイトルバー５１１ａ、５１１ｂおよび５１１ｃと、に標識となる色を表示しているが、本発明はこれに限らず、例えばツールバー９２ａ、９２ｂおよび９２ｃあるいはタイトルバー９１ａ、９１ｂおよび９１ｃに表示される装置名の文字等、の測定ユニットに関する情報を表示する領域を広く保つことができる領域に、標識となる色を表示する構成としてもよい。
【００９１】
また、上記実施の形態では、発光部２１ａ、２２ａおよび２３ａは、複数の色を表示可能な一つのＬＥＤを備える構成となっているが、本発明はこれに限らず、例えば、発光部２１ａ、２２ａおよび２３ａが、赤色ＬＥＤ、緑色ＬＥＤ又は青色ＬＥＤ等の一色だけ表示可能なＬＥＤを複数備える構成とし、測定ユニット２１、２２又は２３に割り当てられた色を表示可能なＬＥＤだけが点灯する構成としてもよい。また、発光部を白色光源と複数の色のフィルタを備えた構成とし、フィルタを切替えることで発光部の色を変更する構成としてもよい。
【符号の説明】
【００９２】
１      臨床検体分析装置
２１，２２，２３      測定ユニット
２１ａ，２２ａ，２３ａ      発光部
３      情報処理ユニット
４      試料供給部
５      ＷＢＣ検出部
６      ＲＢＣ検出部
７      ＨＧＢ検出部
８      制御部
８２    ＣＰＵ
８３    メモリ
９      通信部
１０      ＬＥＤ駆動回路
１１      センサ
３１      ＣＰＵ
３３      記憶部
３３１      プログラム記憶部
３３２      装置情報記憶部
３５      表示装置
３７      通信インタフェース
【図１】
2011075378.tif 000003
【図２】
2011075378.tif 000004
【図３】
2011075378.tif 000005
【図４】
2011075378.tif 000006
【図５】
2011075378.tif 000007
【図６】
2011075378.tif 000008
【図７】
2011075378.tif 000009
【図８】
2011075378.tif 000010
【図９】
2011075378.tif 000011
【図１０】
2011075378.tif 000012
【図１１】
2011075378.tif 000013
【図１２】
2011075378.tif 000014
【図１３】
2011075378.tif 000015
【図１４】
2011075378.tif 000016
【図１５】
2011075378.tif 000017
【図１６】
2011075378.tif 000018
【図１７】
2011075378.tif 000019
【図１８】
2011075378.tif 000020
【図１９】
2011075378.tif 000021
【図２０】
2011075378.tif 000022